(57)【要約】【課題】停電等が発生した場合でも戻り水によりドレン水がドレンパンからあふれること無く、かつ性能のよい安価な空気調和機を提供すること。【解決手段】本発明の空気調和機は、天井内に配置される室内ユニット本体内部に、ファンと熱交換器とドレンポンプとドレンパンとを備えた天井埋め込み型の空気調和機であって、ドレンポンプ８の下流側に逆止弁１６を設けたことにより、停電時にドレンポンプ側へ水が戻ってくることを防ぐことができる。【選択図】図１
2012242036.tif 000002
【特許請求の範囲】
【請求項１】
天井内に配置される室内ユニット本体内部に、ファンと熱交換器とドレンポンプとドレンパンとを備えた天井埋め込み型の空気調和機であって、前記ドレンポンプの下流側に逆止弁を設けたことを特徴とする空気調和機。
【請求項２】
前記ドレンポンプに接続されているドレンホース上に逆止弁を設けたことを特徴とする請求項１に記載の空気調和機。
【請求項３】
前記ドレンポンプの排水口に逆止弁を一体的に形成したことを特徴とする請求項１に記載の空気調和機。
【発明の詳細な説明】
【技術分野】
【０００１】
本発明は、性能を向上させることができるドレンパンを備えた空気調和機に関するものである。
【背景技術】
【０００２】
従来、この種の空気調和機の凝縮水をオーバーフローさせることがないドレンパンの形状についての方策がいくつか考案されている（例えば、特許文献１参照）。
【０００３】
図６は従来の空気調和機の縦断面図、図７は従来の空気調和機のドレンポンプ配置図、図８は従来の空気調和機のドレンパンと熱交換器の配置断面図である。図６から図８に示すように、天井１内に埋設された室内ユニット本体２の内部に、熱交換器３、ドレンパン４、ファン５、ファンモーター６等が配置され、この室内ユニット本体２にはその下部開口を覆う化粧パネル７が装着されている。
【０００４】
また、機械室内にはドレンポンプ８が設けられており、ドレンポンプ８にはドレンホース９が取り付けられており、室内ユニット本体２の側面に取り付けられているドレン口１０と接続されている。
【０００５】
また、ドレン排水管のつまりや、ドレンポンプ８の故障等の際に、ドレンパン４に溜まった凝縮水を排除するために、ドレンパン４内のドレンポンプ８の下方にドレン排水口１１が設けられており、ドレン排水口１１にはドレンキャップ１２が取りつけられている。
【０００６】
以上のように構成されたドレンポンプを備えた空気調和機について、以下にその動作を説明する。
【０００７】
まず、熱交換器３から発生したドレン水がドレンパン４に溜まる。ドレンパン４に溜まったドレン水をドレンポンプ８にてかき揚げ、ドレンホース９を通過し、ドレン口１０を経由して室内ユニット本体２の機外へ排出される。ドレンポンプ８は再立ち上げ可能で、ドレン口１０に取り付けられるドレン配管１３を垂直に配置してドレン高さを大きくとることができる。室内機の運転停止後もドレン水をできる限り室内ユニット本体２の機外へ排出するために、ドレンポンプ８はしばらくの間運転するのが一般的である。
【先行技術文献】
【特許文献】
【０００８】
【特許文献１】特開２００８−３０９４６８号公報
【発明の概要】
【発明が解決しようとする課題】
【０００９】
しかしながら、前記従来の構成は、室内機への電源供給が停電等で瞬時に停止した時ことを考慮し、ドレン配管１３内およびドレンホース９にとどまっている戻り水をあふれることなくドレンパン４に溜める必要があるので、ドレンパン４に形成されている土手１４を高くする必要があったが、その結果、ドレンパン４に形成されている土手１４が高くなることで、土手１４の内部に配置されている熱交換器３の風未通過部１５が大きくなり、性能が低下し、性能を上げるため、熱交換器の段数を増やすことで、コストが高くなってしまうという課題を有していた。
【００１０】
本発明は、前記従来の課題を解決するもので、停電等が発生した場合でも戻り水により
ドレン水がドレンパンからあふれること無く、かつ性能のよい安価な空気調和機を提供することを目的とする。
【課題を解決するための手段】
【００１１】
前記従来の課題を解決するために本発明の空気調和機は、天井内に配置される室内ユニット本体内部に、ファンと熱交換器とドレンポンプとドレンパンとを備えた天井埋め込み型の空気調和機であって、前記ドレンポンプの下流側に逆止弁を設けたことにより、停電時にドレンポンプ側へ水が戻ってくることを防ぐことができる。
【発明の効果】
【００１２】
本発明は、停電等が発生した場合でも戻り水によりドレン水がドレンパンからあふれること無く、かつ性能のよい安価な空気調和機を提供することができる。
【図面の簡単な説明】
【００１３】
【図１】本発明の実施の形態１における空気調和機の縦断面図
【図２】同実施の形態１における空気調和機のドレンポンプ配置図
【図３】同実施の形態１における空気調和機のドレンポンプ側面図
【図４】同実施の形態１における空気調和機のドレンパンと熱交換器の配置断面図
【図５】同実施の形態２における空気調和機のドレンポンプ側面図
【図６】従来の空気調和機の縦断面図
【図７】従来の空気調和機のドレンポンプ配置図
【図８】従来の空気調和機のドレンパンと熱交換器の配置断面図
【発明を実施するための形態】
【００１４】
第１の発明の空気調和機は、天井内に配置される室内ユニット本体内部に、ファンと熱交換器とドレンポンプとドレンパンとを備えた天井埋め込み型の空気調和機であって、ドレンポンプの下流側に逆止弁を設けたことにより、停電時にドレンポンプ側へ水が戻ってくることを防ぐことができる。
【００１５】
第２の発明の空気調和機は、特に第１の発明において、ドレンポンプに接続されているドレンホース上に逆止弁を設けたことにより、簡単な構成で停電時にドレンポンプ側へ水が戻ってくることを防ぐことができる。
【００１６】
第３の発明の空気調和機は、特に第１の発明において、ドレンポンプの排水口に逆止弁を一体的に形成したことにより、簡単な構成で停電時にドレンポンプ側へ水が戻ってくることを防ぐことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の縦断面図を示すものである。また、図２はドレンポンプ配置図を示すものである。また図３はドレンポンプ側面図を示すものである。また図４はドレンパンと熱交換器の配置断面図を示すものである。
【００１９】
図１から図４において、天井１内に埋設された室内ユニット本体２の内部に、熱交換器３、ドレンパン４、ファン５、ファンモーター６等が配置され、この室内ユニット本体２にはその下部開口を覆う化粧パネル７が装着されている。
【００２０】
また、機械室内にはドレンポンプ８が設けられており、ドレンポンプ８にはドレンホー
ス９が取り付けられており、室内ユニット本体２の側面に取り付けられているドレン口１０と接続されている。ドレン排水管のつまりや、ドレンポンプ８の故障等の際に、ドレンパン４に溜まった凝縮水を排除するために、ドレンパン４内のドレンポンプ８の下方にドレン排水口１１が設けられており、ドレン排水口１１にはドレンキャップ１２が取りつけられている。
【００２１】
以上のように構成された空気調和機について、以下その動作、作用を説明する。
【００２２】
まず、室内ユニット本体２の運転により、熱交換器３に発生したドレン水がドレンパン４へ流れ落ちる。ドレンパン４に流れ落ちたドレン水はドレンパン４の内面傾斜により、ドレンポンプ８の下方へ集まる。
【００２３】
そして、ドレンポンプ８の下方へ集められたドレン水をドレンポンプ８にてくみ上げ、ドレンホース９を通過しドレン口１０へ送られる。ドレン口１０を経由してドレン配管１３を通過し、室内ユニット本体２の機外へと排出される。
【００２４】
室内ユニット本体２の運転停止時はドレンポンプ８を遅延運転させるため、ドレンホース９およびドレン配管１３に溜まっているドレン水は室内ユニット本体２の機外へと排出されるが、停電時にはドレンポンプ８の遅延運転ができないため、ドレンホース９をドレン配管１３に溜まっているドレン水はドレンパン４へと戻ってくる。
【００２５】
戻り水により、オーバーフローしないようにドレンパン４に形成されている土手１４の高さを高くする必要がある。
【００２６】
本実施の形態では、ドレンホース９に逆止弁１６を設けている。逆止弁１６は矢印の方向へはドレン水は流れるが、矢印とは逆方向にはドレン水が流れないように配置されている。このことにより、逆止弁１６より上のＨ部に溜まっているドレン水は逆止弁１６の影響でドレンパン４へ戻ることはなくなる。
【００２７】
そのため戻り水が少なくなるのでドレンパン４に形成されている土手１４の高さを低くすることができるので、熱交換器３の風未通過部１５を低くすることができるので、熱交換器３を有効に活用することが可能となる。
【００２８】
以上のように、本実施の形態においては、ドレンポンプとドレン口を接続するドレンホースに逆止弁を設けることにより、停電等が発生した場合でも戻り水によりドレン水がドレンパンからあふれること無く、かつ性能のよい安価な空気調和機を提供することができる。
【００２９】
（実施の形態２）
図５は、本発明の第２の実施の形態の空気調和機のドレンポンプ側面図を示すものである。
【００３０】
図５において、ドレンポンプ８内に形成されているドレンホース９を接続するためのドレンポンプ排水口１７内に逆止弁１６を設けている。
【００３１】
ドレンポンプ排水口１７内に逆止弁１６を設けることにより逆止弁１６より上のＨ部を大きくとることができる。このことによりドレンパン４に形成されている土手１４をさらに低くすることが可能となる。
【００３２】
以上のように、本実施の形態においては、ドレンポンプに形成されているドレンポンプ
排水口に逆止弁を設けることにより、停電等が発生した場合でも戻り水によりドレン水がドレンパンからあふれること無く、かつ性能のよい安価な空気調和機を提供することができる。
【産業上の利用可能性】
【００３３】
以上のように、本発明にかかる空気調和機は、ドレンポンプとドレン口を接続するドレンホースに逆止弁を設けることにより、停電等が発生した場合でも戻り水によりドレン水がドレンパンからあふれること無く、かつ性能のよい安価な空気調和機を提供することが可能となるので、ドレンポンプを使用している天井埋め込み型エアコン以外の製品にも適用できる。
【符号の説明】
【００３４】
１  天井
２  室内ユニット本体
３  熱交換器
４  ドレンパン
５  ファン
６  ファンモーター
７  化粧パネル
８  ドレンポンプ
９  ドレンホース
１０  ドレン口
１１  ドレン排水口
１２  ドレンキャップ
１３  ドレン配管
１４  土手
１５  風未通過部
１６  逆止弁
１７  ドレンポンプ排水口
【図１】
2012242036.tif 000003
【図２】
2012242036.tif 000004
【図３】
2012242036.tif 000005
【図４】
2012242036.tif 000006
【図５】
2012242036.tif 000007
【図６】
2012242036.tif 000008
【図７】
2012242036.tif 000009
【図８】
2012242036.tif 000010